(57)【特許請求の範囲】
【請求項１】
取外し可能なケーシング閉鎖体と位置固定のケーシング部分との間における旋回可能な結合装置であって、ケーシング閉鎖体（１）の端部形成部が、凸面状に形成された一体成形部（２）と、該一体成形部（２）に接続していて横断面で見て細くなっているウェブ（４）とを有しており、かつ該ウェブ（４）に連続して凹設部（５）が設けられており、位置固定のケーシング部分（１１）に、ケーシング閉鎖体（１）の一体成形部（２）に対して９０°ずらされた凸面状の一体成形部（３）が設けられており、このケーシング部分（１１）の一体成形部（３）が、同様に横断面で見て該一体成形部（３）に接続していて細くなっているウェブ（６）を備えており、そしてケーシング閉鎖体（１）が、位置固定のケーシング部分（１１）に対して旋回可能に係合され、ケーシング閉鎖体（１）の凹設部（５）が、ケーシング部分（１１）の一体成形部（３）に対して係止及び解離可能であることを特徴とする、旋回可能な結合装置。
【請求項２】
位置固定のケーシング部分（１１）に凹設部（７）が設けられていて、該凹設部（７）にケーシング閉鎖体（１）の一体成形部（２）が係合している、請求項１記載の結合装置。
【請求項３】
ケーシング閉鎖体（１）の一体成形部（２）及びケーシング部分（１１）の一体成形部（３）が、部分球形に形成されている、請求項１記載の結合装置。
【請求項４】
ケーシング閉鎖体（１）の凹設部（５）がケーシング閉鎖体（１）の内側に位置している、請求項１記載の結合装置。
【請求項５】
ケーシング閉鎖体（１）の一体成形部（２）及びケーシング部分（１１）の一体成形部（３）が、外装（９，１０）を備えている、請求項１又は３記載の結合装置。
【請求項６】
ケーシング閉鎖体（１）の外装（９）及びケーシング部分（１１）の外装（１０）が、音響遮断効果のあるプラスチックから成っている、請求項５記載の結合装置。
【請求項７】
位置固定のケーシング部分（１１）及びケーシング閉鎖体（１）が軽金属もしくは軽金属合金から成っている、請求項１記載の結合装置。
【発明の詳細な説明】
本発明は、取外し可能なケーシング閉鎖体と位置固定のケーシング部分との間における旋回可能な結合装置に関する。このようなケーシングは特に自動式のスライドドアもしくは回転ドア駆動装置のための駆動装置において使用される。
２つのトランク半部を結合するための係止機構はドイツ連邦共和国実用新案登録第９４１９６５２号明細書に開示されている。この係止機構はヒンジ装置、つまり旋回ラッチ式揺動体（Drehfallenwippe）の形で形成されている。この旋回ラッチ式揺動体は係止によってロックされ、かつロック解除されることができる。この場合旋回ラッチ式揺動体は、一体成形された球の形に形成された係止隆起部を有しており、この係止隆起部は相補形状をもつ対応係止隆起部に係合するようになっている。
Ｓｃｈｕｅｃｏ  Ｉｎｔｅｒｎａｔｉｏｎａｌ社のカタログには「Ｓｅｒｉｅ  Ｒｏｙａｌ  Ｓ  ５５」の名前で種々様々なドア成形体が示されている。このシリーズには、内部に貫通孔を備えた突出部を有する成形体も示されているが、この場合貫通孔は１箇所において側壁に開口を有している。特に保持成形体と呼ばれるこのような成形体では、特にペルロンファイバ製の剛毛シール部材としてのシール部材もしくはゴム条片の形をしたドア密閉成形体を使用することができる。
特に自動ドアのための上記形式の装置ケーシングでは、このようなケーシングを開放するという問題が常に存在している。それというのは、このようなケーシングは通常数メートルの長さを有していて、常にスライドドアもしくは回転ドアの上に位置しているからである。したがって取付け工にとって、旋回可能なケーシング部分を相応に取り扱うことは取外し時においても装着時においても、極めて困難である。
ゆえに本発明の課題は、従来技術における欠点を排除すべく改良して、つまり取外し可能なケーシング閉鎖体と位置固定のケーシング部分との間における結合装置であって、使用者にとって取り扱いやすくかつ同時に外から見えない丈夫で旋回可能な結合装置を、提供することである。この場合取外し可能なケーシング部分は単に旋回可能なだけではなく、工具を使用することなしに全体的を位置固定のケーシング部分から取り外せることが望ましい。また、ケーシング内室においても外側においても突出した部分の見えないことが望まれている。
この課題を解決するために本発明による結合装置では、請求項１の特徴部に記載のように構成されている。本発明による結合装置の別の有利な構成は、請求項２以下に記載されている。
本発明では前記課題を解決するために、取外し可能でかつ運動可能なケーシング閉鎖体と位置固定のケーシング部分のための特殊な端部構成が選択されている。ケーシング閉鎖体には、凸面状に形成された一体成形部が設けられており、この一体成形部は例えば球形のヘッドを有することができ、この場合ヘッドには材料狭窄部が接続されており、つまり、凸面状の一体形成部よりも細い脚もしくはウェブが設けられている。このようなウェブにはさらに該ウェブに接続して、成形体の内部に凹設部が設けられており、この凹設部は、同様に位置固定のケーシング部分に一体成形されていて取外し可能なケーシング部分の一体成形部に対して９０°ずらされて配置された一体成形部を、受容することができるようになっている。位置固定のケーシング部分におけるこの一体成形部もまた同様に球形に形成されていて、この球形の一体成形部に接続して、取外し可能なケーシング閉鎖体におけると同様にウェブもしくは先細部を有している。先細部は、位置固定のケーシング部分の９０°ずらされたウェブ又は脚に続いており、そしてこの部分にも凹設部が設けられており、この凹設部は、該凹設部に取り外し可能なケーシング閉鎖体の球形の一体成形部が係合できるように、構成されている。両方のケーシング部分つまり位置固定のケーシング部分及び取外し可能なケーシング閉鎖体のノイズ防止や適正な不動の座着を達成するために、凸面状に形成された一体成形部は少なくとも部分領域に、プラスチック製の外装を備えている。これによって同時に、取外し可能なケーシング閉鎖体が位置固定のケーシング部分の凹設部に対して挿入されるもしくは引き出される瞬間に、両ケーシング部分相互のひっかかりが保証され、これによって形状結合的な結合と、小さな力に対しては摩擦力結合的な結合も生ぜしめられる。両ケーシング部分は有利には軽金属又は軽金属合金から製造される。
次に図面を参照しながら本発明による結合装置の実施例を説明する。なお図面には位置固定のケーシング部分と取外し可能なケーシング閉鎖体との間における部分だけが示されている。
第１図は、位置固定のケーシング部分と取外し可能なケーシング閉鎖体との間における結合装置の係止状態を示す図である。
第２図は、取外し可能なケーシング閉鎖体を単独で示す図である。
第３図〜第６図は、位置固定のケーシング部分と取外し可能なケーシング閉鎖体との間における係止動作中の各段階を示す図であって、
第３図は、位置固定のケーシング部分へのケーシング閉鎖体の挿入前の段階を示す図である。
第４図は、ケーシング閉鎖体がケーシング部分に挿入される段階を示す図である。
第５図は、係止直前における段階を示す図である。
第６図は、係止動作の開始段階を示す図である。
第１図には位置固定のケーシング部分１１が示されており、このケーシング部分１１は取外し可能なケーシング閉鎖体１と、摩擦力結合式（kraftschluessig）及び形状結合式（formschluessig）に、工具を用いることなしに、結合されており、かつ再び解離可能である。ケーシング閉鎖体１はその端部領域（長手方向縁部）において、例えば部分球形状の凸面状の一体成形部２を備えて形成されている。この凸面状の一体成形部２にはウェブ４が接続し、このウェブ４はケーシング閉鎖体１の横断面に移行している。ウェブ４の付加部の後ろには凹設部５が設けられており、この凹設部５は、該凹設部５が位置固定のケーシング部分１１と共働できるように、構成されており、つまり互いに結合される部分は、互いに寸法的に合わせられている。
位置固定のケーシング部分１１の一部は第３図に明瞭に示されており、付言すれば、すべての図面において位置固定のケーシング部分１１とケーシング閉鎖体１とは横断面で示されている。位置固定のケーシング部分１１の横断面は、その端部領域において細くなって脚１２を形成している。この場合、横断面が細くなっている領域には、位置固定のケーシング部分１１内に凹設部７が設けられている。突出している脚１２はその端部近傍に９０°曲げられたウェブ６を有しており、このウェブ６の自由端部には、ケーシング閉鎖体１におけると同様な形式で、凸面状の一体成形部３が一体成形されている。位置固定のケーシング部分１１の凹設部７と凸面状の一体成形部３との間における寸法の合致は、凸面状の一体成形部２が凹設部７内にかつ凸面状の一体成形部３が凹設部５に挿入され得るように、ケーシング閉鎖体１と合わせられている。前記挿入動作は、ケーシング閉鎖体１が位置固定のケーシング１１に対する傾斜位置にもたらされることによって行われる。これによって、凸面状の一体成形部２は凹設部７に挿入され、ひいては位置固定のケーシング部分１１に対するケーシング閉鎖体１の固定部が提供される。ケーシング閉鎖体１を略示されたケーシングに向かってさらに旋回させると、第５図に示されているように、凸面状の一体成形部３は凹設部５の領域に達し、この際に同時に、凸面状の一体成形部２は引き続き凹設部７内において支持されている。凸面状の一体成形部３と凹設部５とが互いに当接した時には、小さな力を加えることしか必要なく、この小さな力によってケーシング閉鎖体１と位置固定のケーシング部分１１との間における係止が生ぜしめられる。凸面状の一体成形部２及び凸面状の一体成形部３が少なくとも部分領域にプラスチックライニングの形の外装９，１０を備えていることによって、ケーシング閉鎖体１と位置固定のケーシング部分１１との間における結合部全体は少なくとも部分的に弾性的であり、その結果音響絶縁作用のみならず、同時に持続的できれいな係止部がケーシング閉鎖体１と位置固定のケーシング部分１１との間において与えられる。
このような結合装置は持続的であり、このような結合装置もしくは結合部を形成するためにも解離するためにも何ら工具を必要としない。解離する際には単にケーシング閉鎖体１を矢印１３で示された運動方向に旋回させるだけでよく、これによって、凸面状の一体成形部２，３と凹設部５，７との間における前記結合部の係止が解除される。
【図１】
0004250205.tif 000002
【図２】
0004250205.tif 000003
【図３】
0004250205.tif 000004
【図４】
0004250205.tif 000005
【図５】
0004250205.tif 000006
【図６】
0004250205.tif 000007